(57)【要約】      （修正有）【課題】電源配線上の電圧降下に起因する濃度ムラを抑制する多重露光方式の光書込み装置及び画像形成装置を提供する。【解決手段】第１のＯＬＥＤ列と、第２のＯＬＥＤ列のＯＬＥＤグループとが主走査方向において同一位置に配されており、互いに副走査方向に隣接している。各ＯＬＥＤ２０１は何れもＳ／Ｈ回路４１０と駆動回路４３０とを介して電源配線４２１に接続されている。主走査方向において同一位置に配されたＯＬＥＤ２０１どうしは、同一の輝度信号に応じた駆動電流の供給を受ける。駆動電流は、ＯＬＥＤ２０１を経由して接地配線４４１へ流れる。電源配線４２１に電流を供給する定電圧源は、第１のＯＬＥＤ列と第２のＯＬＥＤ列とで電源配線４２１の主走査方向における互いに反対側の端部に接続されている。【選択図】図４
2015136919.tif 000002
【特許請求の範囲】
【請求項１】
電流駆動型の発光素子がそれぞれ主走査方向にライン状に配列されてなり、互いに副走査方向に隣接して配置された２列の発光素子列と、
前記２列の発光素子列のそれぞれに沿って延伸し、それぞれ対応する発光素子列に電流を供給する２本の電源配線と、
前記２本の電源配線のうち、第１の電源配線に接続されて電流を供給する第１の定電圧源、並びに第２の電源配線に接続されて電流を供給する第２の定電圧源と、
前記発光素子毎に発光量を指示する指示電位を出力する指示回路と、
前記電源配線と前記発光素子との間に介在され、前記電源配線との接続点における電位と、前記指示回路が出力した指示電位との電位差に応じて、前記発光素子に入力される駆動電流を制御する駆動回路群と、を有し、
２列の発光素子列の間で主走査位置を同じくする発光素子同士が感光体上の同一位置を露光することによって、１ラインずつ静電潜像を形成する光書込み装置であって、
前記指示回路は、感光体上の同一位置を露光する発光素子に対して同一の指示電位を出力し、
前記第１、第２定電圧源は、互いに主走査方向における反対側の端部において前記電源配線に接続されている
ことを特徴とする光書込み装置。
【請求項２】
前記２本の電源配線は、隣り合う接続点間の配線インピーダンスが、主走査位置を同じくする配線間で一致している
ことを特徴とする請求項１に記載の光書込み装置。
【請求項３】
前記２列の発光素子列を複数組と、
前記２本の電源配線を前記２列の発光素子列と同数組と、
前記２つの定電圧源を前記２列の発光素子列と同数組と、を備え、
前記２列の発光素子列の組毎に、前記２つの定電圧源は、互いに主走査方向における反対側の端部において前記電源配線に接続されている
ことを特徴とする請求項１又は２に記載の光書込み装置。
【請求項４】
前記複数組は、
主走査方向において同じ位置になるように、かつ、
副走査方向において順次、隣接するように配置されている
ことを特徴とする請求項３に記載の光書込み装置。
【請求項５】
前記複数組は、
副走査方向において同じ位置になるように、かつ、
主走査方向において順次、隣接するように配列されている
ことを特徴とする請求項３に記載の光書込み装置。
【請求項６】
前記２つの定電圧源は、共通の外部電源から給電を受けており、
外部電源から各定電圧源までの配線インピーダンスが一致している
ことを特徴とする請求項１から５の何れかに記載の光書込み装置。
【請求項７】
前記発光素子はＯＬＥＤである
ことを特徴とする請求項１から６の何れかに記載の光書込み装置。
【請求項８】
請求項１から７の何れかに記載の光書込み装置を備える
ことを特徴とする画像形成装置。
【発明の詳細な説明】
【技術分野】
【０００１】
本発明は、光書込み装置及び画像形成装置に関し、特に、発光素子の発光量低下を補正する技術に関する。
【背景技術】
【０００２】
近年、画像形成装置の小型化と低コスト化を目的として、有機ＬＥＤ（OLED: Organic Light Emitting Diode）を用いた光書込み装置（PH: Print Head）が提案されている。ＯＬＥＤは、ＴＦＴ（Thin Film Transistor）基板上で主走査方向に沿ってライン状に配置され、同じく主走査方向に沿って設けられた電源配線によって電気的に並列に接続される。
【０００３】
しかしながら、ＯＬＥＤは、半導体ＬＥＤと比較して光量が不足するため、特に高速な画像形成を行う場合に露光量不足となるおそれがある。このような問題に対して、例えば、副走査方向に間隔を空けて複数列のＯＬＥＤを配置することによって、感光体ドラムの同一位置を複数のＯＬＥＤで露光する多重露光方式の光書込み装置及び画像形成装置が提案されている（特許文献１を参照）。
【先行技術文献】
【特許文献】
【０００４】
【特許文献１】特開２００８−０９３９３８号公報
【特許文献２】特開２００９−２５５５８０号公報
【特許文献３】特開２００７−２３７５７２号公報
【発明の概要】
【発明が解決しようとする課題】
【０００５】
ＯＬＥＤは、有機ＥＬ（Organic Electro-Luminescence）とも呼ばれており、電流駆動型の発光素子であり、電源配線を経由して駆動電流を供給すると、配線抵抗により電源配線に沿って電圧降下が発生する。
一方、ＯＬＥＤの駆動電流を生成する駆動回路は、ＯＬＥＤ毎に隣接配置されており、電源配線の電位を基準として駆動電流を生成する。このため、電源配線の電圧降下は基準電位の低下を招き、ＯＬＥＤの駆動電流量を変動させるので、発光輝度が変動して画像ムラを発生させる。
【０００６】
上記の従来技術に係る多重露光方式の光書込み装置では、１箇所の給電点から共通の電源配線を経由して複数列のＯＬＥＤに電源供給を行っている。このため、主走査方向において同一位置にあるＯＬＥＤ間で電圧降下による発光輝度の変動が揃ってしまうので、画像ムラが強調されるという問題がある。
本発明は、上述のような問題に鑑みて為されたものであって、電源配線上の電圧降下に起因する濃度ムラを抑制する多重露光方式の光書込み装置及び画像形成装置を提供することを目的とする。
【課題を解決するための手段】
【０００７】
上記目的を達成するため、本発明に係る光書込み装置は、電流駆動型の発光素子がそれぞれ主走査方向にライン状に配列されてなり、互いに副走査方向に隣接して配置された２列の発光素子列と、前記２列の発光素子列のそれぞれに沿って延伸し、それぞれ対応する発光素子列に電流を供給する２本の電源配線と、前記２本の電源配線のうち、第１の電源配線に接続されて電流を供給する第１の定電圧源、並びに第２の電源配線に接続されて電流を供給する第２の定電圧源と、前記発光素子毎に発光量を指示する指示電位を出力する指示回路と、前記電源配線と前記発光素子との間に介在され、前記電源配線との接続点における電位と、前記指示回路が出力した指示電位との電位差に応じて、前記発光素子に入力される駆動電流を制御する駆動回路群と、を有し、２列の発光素子列の間で主走査位置を同じくする発光素子同士が感光体上の同一位置を露光することによって、１ラインずつ静電潜像を形成する光書込み装置であって、前記指示回路は、感光体上の同一位置を露光する発光素子に対して同一の指示電位を出力し、前記第１、第２定電圧源は、互いに主走査方向における反対側の端部において前記電源配線に接続されていることを特徴とする。
【発明の効果】
【０００８】
このようにすれば、第１、第２定電圧源を互いに主走査方向における反対側の端部において電源配線に接続するので、２本の電源配線の間で電圧降下に起因する発光素子の光量低下のバラツキを相殺することができる。
この場合において、前記２本の電源配線は、隣り合う接続点間の配線インピーダンスが、主走査位置を同じくする配線間で一致しているのが望ましい。
【０００９】
また、前記２列の発光素子列を複数組と、前記２本の電源配線を前記２列の発光素子列と同数組と、前記２つの定電圧源を前記２列の発光素子列と同数組と、を備え、前記２列の発光素子列の組毎に、前記２つの定電圧源は、互いに主走査方向における反対側の端部において前記電源配線に接続されていても良い。
この場合において、前記複数組は、主走査方向において同じ位置になるように、かつ、副走査方向において順次、隣接するように配置されていれば、多重露光方式における光量バラツキの悪化を防止することができる。
【００１０】
或いは、前記複数組は、副走査方向において同じ位置になるように、かつ、主走査方向において順次、隣接するように配列されていれば、電源配線が短縮されるので、電圧降下幅を小さくすることができる。
また、前記２つの定電圧源は、共通の外部電源から給電を受けており、外部電源から各定電圧源までの配線インピーダンスが一致していれば、更に精度良く、発光素子の光量低下のバラツキを相殺することができる。
【００１１】
なお、上記において、前記発光素子がＯＬＥＤであれば好適である。
本発明に係る画像形成装置は、本発明に係る光書込み装置を備えることを特徴とする。このようにすれば、上述のような効果を備えた画像形成装置を提供することができる。
【図面の簡単な説明】
【００１２】
【図１】本発明の第１の実施の形態に係る画像形成装置の主要な構成を示す図である。
【図２】光書込み装置１２３による光書込み動作を説明する断面図である。
【図３】ＯＬＥＤパネル２００の概略平面図に併せてＡ−Ａ´線における断面図とＣ−Ｃ´線における断面図も示す図である。
【図４】ＴＦＴ基板３００を構成するサンプルホールド回路、駆動回路、ＯＬＥＤ及びソースＩＣ３０２の接続関係を示すブロック図である。
【図５】ＯＬＥＤパネル２００のローリング駆動を説明するタイミングチャートである。
【図６】１つのＯＬＥＤ列について多数のキャパシター４１４、薄膜トランジスター４３１及びＯＬＥＤ２０１からなる部分回路のうちｍ番目の部分回路を示す回路図である。
【図７】ＯＬＥＤ２０１の位置と電圧降下との関係を示すグラフであって、（ａ）は位置と電圧降下量の関係を示し、（ｂ）は位置と輝度の関係を示す。
【図８】従来技術に係る多重露光方式のＯＬＥＤパネル２００における光量バラツキを示すグラフである。
【図９】本実施の形態に係る多重露光方式のＯＬＥＤパネル２００における光量バラツキを示すグラフである。
【図１０】本発明の第２の実施の形態に係るＯＬＥＤ列と定電圧源との配置を示す模式図である。
【図１１】本発明の第３の実施の形態に係るＯＬＥＤ列と定電圧源との配置を示す模式図である。
【図１２】本発明の第４の実施の形態に係るＯＬＥＤ列と定電圧源との配置を示す模式図である。
【発明を実施するための形態】
【００１３】
［１］第１の実施の形態
以下、本発明に係る光書込み装置及び画像形成装置の第１の実施の形態について、図面を参照しながら説明する。
［１−１］画像形成装置の構成
まず、本実施の形態に係る画像形成装置の構成について説明する。
【００１４】
図１は、本実施の形態に係る画像形成装置の主要な構成を示す図である。図１に示されるように、画像形成装置１は、所謂タンデム型のカラー複合機であって、原稿読取部１００、画像形成部１１０及び給紙部１３０を備えている。原稿読取部１００は、原稿台トレイ１０１に載置された原稿を自動原稿搬送装置（ADF: Automatic Document Feeder）１０２にて搬送しながら、光学的に読み取って画像データを生成する。画像データは後述の制御部１１２に記憶される。
【００１５】
画像形成部１１０は作像部１１１Ｙ〜１１１Ｋ、制御部１１２、中間転写ベルト１１３、２次転写ローラー対１１４、定着装置１１５、排紙ローラー対１１６、排紙トレイ１１７、クリーニングブレード１１８及びタイミングローラー対１１９を備えている。また、画像形成部１１０にはＹ（イエロー）、Ｍ（マゼンタ）、Ｃ（シアン）、Ｋ（ブラック）各色のトナーを供給するトナーカートリッジ１２０Ｙ〜１２０Ｋが装着されている。
【００１６】
作像部１１１Ｙ〜１１１Ｋは、それぞれトナーカートリッジ１２０Ｙ〜１２０Ｋからトナーの供給を受けて、制御部１１２の制御の下、ＹＭＣＫ各色のトナー像を形成する。例えば、作像部１１１Ｙは、感光体ドラム１２１、帯電装置１２２、光書込み装置１２３、現像装置１２４及び清掃装置１２５を備えている。制御部１１２の制御の下、帯電装置１２２は感光体ドラム１２１の外周面を一様に帯電させる。
【００１７】
制御部１１２は、受け付けたジョブに含まれるプリント用の画像データに基づいて、内蔵するＡＳＩＣ（Application Specific Integrated Circuit。以下、「輝度信号出力部」という。）により、光書込み装置１２３を発光させるためのデジタル輝度信号を生成する。光書込み装置１２３は、後述のように、主走査方向にライン状に配列された発光素子を２列だけ備えた多重露光方式となっており、制御部１１２が生成したデジタル輝度信号に従って各発光素子を発光させることにより、感光体ドラム１２１の外周面に光書込みを行い、静電潜像を形成する。
【００１８】
現像装置１２４は、感光体ドラム１２１の外周面にトナーを供給して、静電潜像を現像（顕像化）する。１次転写ローラー１２６には、１次転写電圧が印加されており、静電吸着により、感光体ドラム１２１の外周面上に担持されたトナー像を中間転写ベルト１１３に静電転写（１次転写）する。その後、清掃装置１２５は、クリーニングブレードにて感光体ドラム１２１の外周面上に残留するトナーを掻き取り、更に、除電ランプにより感光体ドラム１２１の外周面を照明することによって電荷を除去する。
【００１９】
同様にして、作像部１１１Ｍ〜１１１ＫもまたＭＣＫ各色のトナー像を形成する。これらのトナー像は互いに重なり合うように中間転写ベルト１１３上に順次、１次転写され、カラートナー像が形成される。中間転写ベルト１１３は無端ベルト状の回転体であって、矢印Ａ方向に回転走行し、１次転写されたトナー像を２次転写ローラー対１１４まで搬送する。
【００２０】
給紙部１３０は、何れも記録シートＳをシートサイズ毎に格納する給紙カセット１３１を備え、画像形成部１１０に記録シートＳを１枚ずつ供給する。供給された記録シートＳは、中間転写ベルト１１３がトナー像を搬送するのに並行して搬出され、タイミングローラー対１１９を経由して、２次転写ローラー対１１４まで搬送される。タイミングローラー対１１９は、トナー像が２次転写ローラー対１１４に到達するタイミングに合わせて記録シートＳを搬送する。
【００２１】
２次転写ローラー対１１４は、２次転写電圧を印加された１対のローラーからなっており、このローラー対は互いに圧接して２次転写ニップ部を形成している。この転写ニップ部において中間転写ベルト１１３上のトナー像が記録シートＳ上に静電転写（２次転写）される。トナー像を転写された記録シートＳは定着装置１１５へ搬送される。また、２次転写後、中間転写ベルト１１３上に残った残留トナーは、更に矢印Ａ方向に搬送された後、クリーニングブレード１１８によって掻き取られ、廃棄される。
【００２２】
定着装置１１５はトナー像を加熱、溶融して、記録シートＳに圧着する。トナー像を融着された記録シートＳは排紙ローラー対１１６によって排紙トレイ１１７上に排出される。
なお、制御部１１２は、上記並びに不図示の操作パネルを含む画像形成装置１の動作を制御する。また、制御部１１２は、パソコン（PC: Personal Computer）など、他の装置との間で画像データを送受信したり、印刷ジョブを受け付けたりもする。また、制御部１１２は、ファクシミリモデムを備えており、ファクシミリ回線を介して他のファクシミリ装置と画像データを送受信する。
【００２３】
上記の他、トナー像を転写するに当たっては、転写ローラーに代えて転写チャージャーや転写ベルトを用いても良い。また、中間転写ベルト１１３上の残留トナーを除去する際に、クリーニングブレード１１８に代えて、クリーニングブラシやクリーニングローラー等を用いても良い。
［１−２］光書込み装置１２３の構成
次に、光書込み装置１２３の構成について説明する。
【００２４】
図２は、光書込み装置１２３による光書込み動作を説明する断面図である。図２に示されるように、光書込み装置１２３は、ＯＬＥＤパネル２００とロッドレンズアレイ２０２を筐体２０３内に収容したものであって、ＯＬＥＤパネル２００上には多数のＯＬＥＤ２０１が主走査方向に沿ってライン状に実装されている。ＯＬＥＤ２０１はそれぞれ光ビームＬを出射する。
【００２５】
図３は、ＯＬＥＤパネル２００の概略平面図であり、併せてＡ−Ａ´線における断面図とＣ−Ｃ´線における断面図も示されている。また、概略平面図部分は後述する封止板を取り外した状態を示している。
図３に示されるように、ＯＬＥＤパネル２００は、ＴＦＴ基板３００、封止板３０１及びソースＩＣ３０２等を備えている。ＴＦＴ基板３００には複数列のＯＬＥＤ２０１が主走査方向に沿ってライン状に配列されている。また、ＴＦＴ基板３００のＯＬＥＤ２０１が配設された基板面は封止領域となっており、スペーサー枠体３０３を挟んで封止板３０１を取着する。
【００２６】
これによって、封止領域が外気に触れないように乾燥窒素等を封入した状態で封止される。なお、吸湿のため、封止領域内に吸湿剤を併せて封入しても良い。また、封止板３０１は、例えば、封止ガラスであっても良いし、ガラス以外の材料からなっていても良い。
ＴＦＴ基板３００の封止領域外にはソースＩＣ３０２が実装されている。制御部１１２の輝度信号出力部３１０はフレキシブルワイヤー３１１を介してソースＩＣ３０２にデジタル輝度信号を入力する。ソースＩＣ３０２はデジタル輝度信号をアナログ輝度信号に変換してＯＬＥＤ２０１毎の駆動回路に入力する。駆動回路はアナログ輝度信号に応じてＯＬＥＤ２０１の駆動電流を生成する。
【００２７】
図４は、ＴＦＴ基板３００を構成するサンプルホールド回路（以下、「Ｓ／Ｈ回路」という。）、駆動回路、ＯＬＥＤ２０１及びソースＩＣ３０２の接続関係を示すブロック図である。図４に示されるように、各列のＯＬＥＤ２０１は同数ずつ複数のグループに区分されており、ＯＬＥＤグループ毎にＳ／Ｈ回路４１０が割り当てられている。
また、ソースＩＣ３０２は複数のＤＡＣ（Digital to Analogue Converter）回路４０１を備えている。ＤＡＣ回路４０１はそれぞれ対応するＳ／Ｈ回路４１０へアナログ輝度信号を出力し、配下のＯＬＥＤ２０１を発光させる。なお、ＤＡＣ回路４０１は、主走査方向において同一位置に配された第１のＯＬＥＤ列のＯＬＥＤグループと、第２のＯＬＥＤ列のＯＬＥＤグループとに同一のアナログ輝度信号を出力する。このようにして、感光体ドラム１２１上の同一点が多重露光される。
【００２８】
さて、ＤＡＣ回路４０１は、制御部１１２の輝度信号出力部３１０から受け付けたデジタル輝度信号をアナログ輝度信号に変換して第１のＯＬＥＤ列と第２のＯＬＥＤ列との両方のＳ／Ｈ回路４１０へ出力する。Ｓ／Ｈ回路４１０は、ＯＬＥＤ２０１毎にアナログ輝度信号を保持するキャパシター４１４をセレクター４１１によって切り替える回路である。
【００２９】
セレクター４１１はシフトレジスター４１２とキャパシター４１４毎のスイッチ４１３とを備えており、シフトレジスター４１２はソースＩＣ３０２の同期信号生成回路４００が出力するパルス信号に同期してスイッチ４１３を１つずつ順番にオンさせる。ＤＡＣ回路４０１が出力したアナログ輝度信号はオンされたスイッチ４１３を経由してキャパシター４１４に保持される。
【００３０】
駆動回路４３０は、薄膜トランジスター４３１を備えている。薄膜トランジスター４３１は、定電圧源４２０から電流供給するための電源配線４２１にソース端子Ｓが接続されており、ゲート端子は対応するキャパシター４１４の一方の端子に接続されている。キャパシター４１４の他方の端子は電源配線４２１に接続されている。
このため、薄膜トランジスター４３１のゲート端子とソース端子との間の電位差（以下、「ゲート電圧Ｖｇ」という。）は電源配線４２１とソース端子との接続点４５０の電位に応じて変化する。薄膜トランジスター４３１は、ゲート電圧Ｖｇが大きいほど電流量が多くなるように駆動電流を生成する。生成された駆動電流は、電源配線４２１からＯＬＥＤ２０１をへて、接地配線４４１へ流れる。接地配線４４１は接地端子４４０に接続されている。
【００３１】
なお、第１のＯＬＥＤ列と第２のＯＬＥＤ列とは、互いに主走査方向における反対側の端部に配された定電圧源４２０から電流供給を受け、同様に、互いに主走査方向における反対側の端部に配された接地端子４４０に接続されている。電源配線４２１と接地配線４４１とは何れも主走査方向に沿って配設されている。
ＯＬＥＤ２０１は、駆動電流量が多いほどに発光量が多くなるように発光する。以上のようにして、ＯＬＥＤ２０１はローリング駆動される。すなわち、ＯＬＥＤ２０１は、それぞれ対応するキャパシター４１４がアナログ輝度信号によって充電されるチャージ期間に光量を変更し、キャパシター４１４がアナログ輝度信号を保持するホールド期間にアナログ輝度信号に応じた光量で点灯する（図５）。
【００３２】
［１−３］画像ムラの解消
次に、画像ムラが解消される仕組みについて説明する。
まず、電源配線４２１における電源降下の発生機序について説明する。電源配線４２１における電源降下の発生機序は、何れのＯＬＥＤ列においても同様であるので、１つのＯＬＥＤ列についてのみ説明する。
【００３３】
図６は、１つのＯＬＥＤ列について多数のキャパシター４１４、薄膜トランジスター４３１及びＯＬＥＤ２０１からなる部分回路のうちｍ番目の部分回路を示す回路図である。上述のように、ＯＬＥＤ２０１を点灯させるために流される駆動電流量Ｉ（ｍ）に応じて、電源配線４２１にも電流が流れる。
このため、電源配線４２１には電圧降下が発生する。定電圧源４２０からｍ番目の接続点４５０までに発生する電圧降下△Ｖｄｏｗｎは次の式（１）で表される。
【００３４】
【数１】
2015136919.tif 000003
【００３５】
なお、△Ｖ（ｉ）はｉ番目の接続点４５０とｉ−１番目の接続点４５０との間で発生する電圧降下であり、Ｒ（ｉ）はｉ番目の接続点４５０とｉ−１番目の接続点４５０との間における電源配線４２１の配線抵抗である。なお、各接続点４５０は電源配線４２１上でほぼ等間隔に配置されるため、接続点４５０間における電源配線４２１の配線抵抗Ｒ（ｉ）は概ね一定である。
【００３６】
ｍ番目のＯＬＥＤ２０１毎の駆動電流量Ｉ（ｍ）はアナログ輝度信号Ｖｄａｃ（ｍ）で指定された発光量に応じて変化するので、電圧降下△Ｖｄｏｗｎもまた発光状態に応じて変化する。一方、ＤＡＣ回路４０１がアナログ輝度信号Ｖｄａｃ（ｍ）を出力する配線は充電されるのみで、電流が流れないため電圧降下△Ｖｄｏｗｎは発生しない。
このため、アナログ輝度信号Ｖｄａｃ（ｍ）が同じであっても電源配線４２１における電圧降下△Ｖｄｏｗｎが変化すれば、Ｖｃ（ｍ）とＶｄａｃ（ｍ）の電位差によって決定される薄膜トランジスター４３１のゲート電圧Ｖｇ（ｍ）が変化する。従って、駆動電流量Ｉ（ｍ）が変化するので、ＯＬＥＤ２０１の発光量Ｅ（ｍ）もまた変化する。
【００３７】
図７はＯＬＥＤ２０１の位置と電圧降下との関係を示すグラフであって、（ａ）は位置と電圧降下量の関係を示し、（ｂ）は位置と輝度の関係を示す。図７（ａ）に示されるように、ＯＬＥＤ２０１が１つも点灯されていない全消灯状態においては、電源配線４２１に電流が流れないので、電圧降下は発生しない。
一方、ｍ番目のＯＬＥＤ２０１のみが点灯されている状態においては、上記の式（１）より、ｍ番目のＯＬＥＤ２０１までは位置に比例して電圧降下が発生する。一方、ｍ＋１番目以降のＯＬＥＤ２０１は点灯されず、電源配線４２１には電流が流れないので、更なる電圧降下は発生しない。すべてのＯＬＥＤ２０１を点灯する全点灯状態においては、電源配線４２１の全体に亘って電圧が降下し続ける。
【００３８】
このため、全点灯時にすべての薄膜トランジスター４３１に対してＤＡＣ回路４０１から同一電位のアナログ輝度信号Ｖｄａｃを出力すると、図７（ｂ）に示されるように、ＯＬＥＤ２０１の位置が定電圧源４２０から離れるほど輝度（発光量）の低下が大きくなって輝度ムラが発生する。
特に、従来技術に係る多重露光方式においては、図８に示されるように、感光体ドラム１２１上の同一点を露光するＯＬＥＤ２０１、換言すると、主走査方向において同一位置にあるＯＬＥＤ２０１では、電圧降下によって同程度の輝度低下が発生する。このため、定電圧源４２０に近いＯＬＥＤ２０１では、第１のＯＬＥＤ列と第２のＯＬＥＤ列との何れにおいても電圧降下が小さいので、輝度低下も小さくなる。
【００３９】
一方、定電圧源４２０から遠いＯＬＥＤ２０１では何れのＯＬＥＤ列においても電圧降下が大きいので、輝度低下も大きくなる。このため、定電圧源４２０に最も近いＯＬＥＤ２０１と定電圧源４２０から最も遠いＯＬＥＤ２０１との間の光量差を第１、２のＯＬＥＤ列でそれぞれＤ１、Ｄ２とすると、Ｄ１とＤ２とは何れも各ＯＬＥＤ列の最大光量と最小光量との差に概ね等しくなる。
【００４０】
また、多重露光量の光量差Ｄｓは、次式のように、Ｄ１、Ｄ２の和に等しくなる。
【００４１】
【数２】
2015136919.tif 000004
【００４２】
ここで、
【００４３】
【数３】
2015136919.tif 000005
【００４４】
より、
【００４５】
【数４】
2015136919.tif 000006
【００４６】
したがって、従来技術においては、多重露光方式をとることによって、電圧降下に起因する光量差ＤｓがＯＬＥＤ列毎の光量差Ｄ１、Ｄ２よりも大きくなってしまう。
これに対して、本実施の形態においては、次に説明するように、２つのＯＬＥＤ列の間で電源配線４２１に対して、主走査方向における互いに反対側の端部に定電圧源４２０を接続し、互いに反対向きに電流を流すことによって、電圧低下を相殺する。
【００４７】
図９は、本実施の形態におけるＯＬＥＤパネル２００の全点灯時における電圧低下と発光量とを示すグラフである。上記の機序によって、第１、第２何れのＯＬＥＤ列においても電圧降下が発生し、光量バラツキＤ１、Ｄ２が発生し、光量バラツキＤ１、Ｄ２は概ね等しくなる点は従来技術と同様である。
しかしながら、本実施の形態においては、第１、第２のＯＬＥＤ列の間で、定電圧源４２０が互いに主走査方向における反対側の端部に配置されるので、全点灯時における最大光量を出射するＯＬＥＤ２０１と電圧降下により最小光量を出射するＯＬＥＤ２０１とが互いに主走査方向における反対側となる。このため、第１、第２のＯＬＥＤ列の間で、主走査方向において同じ位置に配置されたＯＬＥＤ２０１の発光量を加算すると、加算値のばらつき、すなわち、本実施の形態における光量バラツキＤｓはＯＬＥＤ列が１つだけの場合よりも縮小する。
【００４８】
これは、第１、第２のＯＬＥＤ列の間で光量のバラツキが互いに相殺されるからである。従って、本実施の形態によれば、電源配線４２１に沿った電圧降下に起因する光量バラツキが縮小されるので、画像ムラを改善して、優れた画質を実現することができる。
［２］第２の実施の形態
本発明の第２の実施の形態に係る画像形成装置は、上記第１の実施の形態に係る画像形成装置１と概ね同様の構成を備える一方、多重露光方式に用いるＯＬＥＤ列の数が異なる点において相違する。以下、主として相違点に着目して説明する。なお、以下において、上記第１の実施の形態において対応する部材がある場合には同じ符号を適用する。
【００４９】
図１０は、本実施の形態におけるＯＬＥＤ列と定電圧源との配置を示す模式図である。図１０に示されるように、本実施の形態においては、２Ｎ個のＯＬＥＤ列＃１〜＃２Ｎが主走査方向に沿って配設されており、そのうち偶数番目のＮ個のＯＬＥＤ列（＃２、＃４、…、＃２Ｎ）は主走査方向における一方の端部に配設された定電圧源（＃２、＃４、…、＃２Ｎ）からそれぞれ電源配線４２１を介して電流供給を受ける。
【００５０】
また、奇数番目のＮ個のＯＬＥＤ列（＃１、＃３、…、＃２Ｎ−１）は主走査方向における反対側の端部に配設された定電圧源（＃１、＃３、…、＃２Ｎ−１）からやはり電源配線４２１を介して電流供給を受ける。なお、Ｎ＞１である。また、ＯＬＥＤ２０１に駆動電流を供給する駆動回路４３０やＳ／Ｈ回路、ＤＡＣ回路等については図示を省略した。
【００５１】
このように偶数個あるＯＬＥＤ列を半数ずつに分けて互いに主走査方向の反対側に配置された定電圧源から給電すれば、上記第１の実施の形態と同様に、電圧降下による発光光量のバラツキを抑制することができる。
また、感光体ドラム１２１上の同一点を多数のＯＬＥＤ２０１で露光するので、十分な露光光量を確保することができると共にＯＬＥＤ２０１毎の出射光量を低減して、ＯＬＥＤ２０１の劣化を防止し、長寿命化を図ることができる。
【００５２】
［３］第３の実施の形態
本発明の第３の実施の形態に係る画像形成装置は、上記第１の実施の形態に係る画像形成装置１と概ね同様の構成を備える一方、定電圧源４２０が共通の外部電源から給電される点において相違する。以下、主として相違点に着目して説明する。なお、以下において、上記第１の実施の形態において対応する部材がある場合には同じ符号を適用する。
【００５３】
図１１は、本実施の形態におけるＯＬＥＤ列と定電圧源との配置を示す模式図である。図１１に示されるように、本実施の形態においては、２つのＯＬＥＤ列が主走査方向に沿って配設されており、第１のＯＬＥＤ列は、電源配線４２１の主走査方向における一方の端部１１０１を介して電流供給を受ける。また、第２のＯＬＥＤ列もまた、電源配線４２１の主走査方向における反対側の端部１１０２を介して電流供給を受ける。
【００５４】
ＯＬＥＤ２０１は何れも駆動回路４３０を介して電源配線４２１に接続されており、駆動回路４３０は駆動電流量を制御する。なお、図１１においては、Ｓ／Ｈ回路やＤＡＣ回路等は図示を省略されている。
本実施の形態においては、電源配線４２１の端部１１０１、１１０２は何れも給電端子１１００に接続されている。給電端子１１００から電源配線４２１の端部１１０１、１１０２までの配線は、配線インピーダンスが一致するように配線されている。したがって、給電端子１１００から端部１１０１、１１０２までに発生する電圧降下は一致する。
【００５５】
このようにすれば、電源配線４２１における電圧降下に起因するＯＬＥＤ２０１の光量低下がセンター位置を対称軸として、主走査方向について略対象になる。従って、第１のＯＬＥＤ列と第２のＯＬＥＤ列とでＯＬＥＤ２０１の光量低下を互いに補い合うように光量低下が発生するので、ＯＬＥＤ２０１の発光光量のバラツキを抑制することができる。
なお、図１１においては、給電端子１１００がＴＦＴ基板３００から引き出されている場合を示したが、本発明がこれに限定されないことは言うまでも無く、給電端子１１００をＴＦＴ基板３００上に配設しても良い。
【００５６】
［４］第４の実施の形態
本発明の第４の実施の形態に係る画像形成装置は、上記第１の実施の形態に係る画像形成装置１と概ね同様の構成を備える一方、ＯＬＥＤ列毎の給電経路がセンター位置で２分割されている点において相違する。以下、主として相違点に着目して説明する。なお、以下において、上記第１の実施の形態において対応する部材がある場合には同じ符号を適用する。
【００５７】
図１２は、本実施の形態におけるＯＬＥＤ列と定電圧源との配置を示す模式図である。まず、図１２（ａ）に示されるように、本実施の形態においては、２つのＯＬＥＤ列が主走査方向に沿って配設されている。第１のＯＬＥＤ列も第２のＯＬＥＤ列も主走査方向におけるセンター位置において＃１側と＃２側との２つに分割されており、それぞれ専用の電源配線４２１から電流を供給される。
【００５８】
＃１側においては、第１、第２のＯＬＥＤ列は、互いに主走査方向における反対側における電源配線４２１の端部に定電圧源４２０が接続されている。このため、第１の実施の形態と同様の仕組みによってＯＬＥＤ２０１の光量のバラツキが抑制される。＃２側においても同様である。なお、第２のＯＬＥＤ列においては、２つの定電圧源４２０が何れもセンター位置に近い位置で電源配線４２１に接続されることから、＃１側と＃２側とで定電圧源を共用しても良い。
【００５９】
図１２（ｂ）においては、＃２側において定電圧源４２０が接続される電源配線４２１の端部が図１２（ａ）の場合と異なっているが、第１、第２のＯＬＥＤ列の間で当該接続位置が互いに主走査方向における反対側であることに変わりは無いので、図１２（ａ）の場合と同様にＯＬＥＤ２０１の光量バラツキを抑制することができる。
［５］変形例
以上、本発明を実施の形態に基づいて説明してきたが、本発明が上述の実施の形態に限定されないのは勿論であり、以下のような変形例を実施することができる。
【００６０】
（１）上記第３の実施の形態においては、給電端子１１００から電源配線４２１の端部１１０１、１１０２までの配線は、配線インピーダンスが一致するように配線されている場合について説明したが、上記第３の実施の形態に限らず、他の実施の形態においても、次のようにすればＯＬＥＤ２０１の光量バラツキを更に抑制することができる。
すなわち、互いに光量バラツキを相殺させる一対のＯＬＥＤ列の間で、ｉ番目の接続点４５０とｉ−１番目の接続点４５０との間における電源配線４２１の配線抵抗Ｒ（ｉ）が一致するように回路パターンを設計しても良い。
【００６１】
このようにすれば、番号ｉの小さい接続点４５０から番号ｉの大きい接続点４５０へ電流が流される電源配線４２１におけるｉ番目の接続点４５０とｉ−１番目の接続点４５０との間で発生する電圧降下△Ｖ（ｉ）が、番号ｉの大きい接続点４５０から番号ｉの小さい接続点４５０へ電流が流される電源配線４２１におけるｉ−１番目の接続点４５０とｉ番目の接続点４５０との間で発生する電圧降下△Ｖ（ｉ−１）に一致する。
【００６２】
したがって、１対のＯＬＥＤ列の間で光量バラツキを更に精度良く相殺させることができる。
（２）上記第４の実施の形態においては、ＯＬＥＤ列をセンター位置で２分割する場合について説明したが、本発明がこれに限定されないのは言うまでもなく、センター位置以外で分割しても良い。また、ＯＬＥＤ列を３つ以上の部分に分割しても良い。また、第１、第２の２つのＯＬＥＤ列を備える場合について説明したが、ＯＬＥＤ列の対が２つ以上あっても良い。
【００６３】
ＯＬＥＤ列の分割位置や分割数、ＯＬＥＤ列の対の数に関わりなく、対をなすＯＬＥＤ列どうしが同じ位置で分割されており、かつ、分割されたＯＬＥＤ列のうち対応する部分どうしが電源配線４２１における互いに主走査方向における反対側の端部において定電圧源４２０に接続されていれば、本発明の効果を得ることができる。
なお、電源配線４２１が長いほど電圧降下が大きくなるので、ＯＬＥＤ列を分割する際には、分割されたＯＬＥＤ列の電源配線４２１の長さが互いに等しくなるように等分割するのが望ましい。このようにすれば、電源配線４２１の長さの上限を最小化することができるので、その意味においても光量バラツキを抑えることができる。
【００６４】
（３）上記実施の形態においては、画像形成装置として所謂タンデム型のカラー複合機を例にとって説明したが、本発明がこれに限定されないのは言うまでも無く、これに代えて、モノクロ複合機や、プリンタ装置、プリンタ装置にスキャナーを追加した複写装置、複写装置に通信機能を追加ファクシミリ装置など単機能機に本発明に係る光書込み装置を搭載しても同様の効果を得ることができる。
【産業上の利用可能性】
【００６５】
本発明に係る光書込み装置及び画像形成装置は、発光素子の発光量低下を補正する装置として有用である。
【符号の説明】
【００６６】
１…………画像形成装置
１１２……制御部
１２３……光書込み装置
２０１……ＯＬＥＤ
３００……ＴＦＴ基板
３０２……ソースＩＣ
３１０……輝度信号出力部
４０１……ＤＡＣ
４１０……サンプルホールド回路
４１４……キャパシター
４２０……定電圧源
４２１……電源配線
４３０……駆動回路
４３１……薄膜トランジスター
【図１】
2015136919.tif 000007
【図２】
2015136919.tif 000008
【図３】
2015136919.tif 000009
【図４】
2015136919.tif 000010
【図５】
2015136919.tif 000011
【図６】
2015136919.tif 000012
【図７】
2015136919.tif 000013
【図８】
2015136919.tif 000014
【図９】
2015136919.tif 000015
【図１０】
2015136919.tif 000016
【図１１】
2015136919.tif 000017
【図１２】
2015136919.tif 000018